(57)【要約】【課題】薬液を円滑に且つ迅速に樹木に注入することができる圧力式樹幹注入器を提供する。【解決手段】中空状を呈しており、内部に薬液を収容する多数の蛇腹が形成された蛇腹管を付勢して前記内部に圧力を発生させるように構成された圧力部と、前記圧力部の上部面と前記圧力部の上部の外側を取り囲んで前記圧力部の前記上部を密閉するように構成された上部カバーと、前記圧力部の下部を密閉し、前記圧力部において発生した前記圧力を用いて前記薬液を樹木に注入するように構成された注入部と、を備えることを特徴とする圧力式樹幹注入器。【選択図】図１
2015149990.tif 000002
【特許請求の範囲】
【請求項１】
中空状を呈しており、内部に薬液を収容する多数の蛇腹が形成された蛇腹管を付勢して前記内部に圧力を発生させるように構成された圧力部と、
前記圧力部の上部面と前記圧力部の上部の外側を取り囲んで前記圧力部の前記上部を密閉するように構成された上部カバーと、
前記圧力部の下部を密閉し、前記圧力部において発生した前記圧力を用いて前記薬液を樹木に注入するように構成された注入部と、
を備えることを特徴とする圧力式樹幹注入器。
【請求項２】
前記注入部は、
前記圧力部の前記下部の外側を取り囲む下部カバーと、
前記下部カバーの下端に形成されて先端部に進むにつれて幅が狭くなる案内管と、
前記案内管の下端に形成されて先端部に進むにつれて幅が狭くなる注入管と、
前記注入管の先端部である開口部に熱融着されて前記開口部を閉塞している蓋体と、
を備えることを特徴とする請求項１に記載の圧力式樹幹注入器。
【請求項３】
前記注入管には、樹木の穿孔部に嵌め込むための、外周縁に沿って螺旋状に突出する嵌入ガイドが形成されることを特徴とする請求項２に記載の圧力式樹幹注入器。
【請求項４】
前記注入部は、
前記圧力部の前記下部の外側を取り囲む下部カバーと、
前記下部カバーの下端に形成されて先端部に進むにつれて幅が狭くなる案内管と、
前記案内管の下端に形成されて下側に突出する注入管と、
前記注入管の先端部である開口部に嵌め込まれて前記開口部を閉塞している蓋体と、
を備え、
前記蓋体には、注入針が先端部に形成された薬液注入ホースが貫設され、
前記上部カバーには、樹木に固定可能な固定環が形成されている、
ことを特徴とする請求項１に記載の圧力式樹幹注入器。
【請求項５】
前記蛇腹管は、前記各蛇腹の上部面及び下部面が上部に向かって丸められた形状を呈し、前記上部面の高さは前記下部面の高さよりも高くなるように形成されることを特徴とする請求項１から４のいずれか１つに記載の圧力式樹幹注入器。
【請求項６】
前記上部カバー又は前記下部カバーには広告紙、ラベル紙などが貼着可能であることを特徴とする請求項１から５のいずれか１つに記載の圧力式樹幹注入器。
【発明の詳細な説明】
【技術分野】
【０００１】
本発明は、圧力式樹幹注入器に関する。
【背景技術】
【０００２】
最近の各種の産業の発達には目を見張るものがあり、これに伴う公害及び各種の病虫害により樹木が病気にかかったり、土壌の汚染により樹木の成長を阻害する各種の汚染物質が土壌内に含有され、含有された汚染物質により樹木が衰弱しやすくなったりするという問題がある。
【０００３】
このような樹木の病虫害による被害及び樹木の枯死を防ぐための好適な治療剤や栄養剤などの薬液を樹木に適切に注入せねばならない。
【０００４】
樹木に薬液を注入する方法としては、樹木の葉に薬液を散布する葉面散布方法、過薬液を水に希釈して土壌に直ちに散布する灌注方法、樹木を穿孔して薬液を穿孔を介して注入する樹幹防除方法が挙げられるが、環境にやさしく、しかも、より迅速に確実な効果が得られることから、樹幹防除方法が汎用されている。
【０００５】
前記樹幹防除方法を用いて樹木に薬液を注入するためには、ドリルを用いて樹木の表面から所定の深さの内部にまで樹木の表面に対して約４５°の勾配を有するように注入孔を形成する。そして、注入孔に薬液容器と接続されている注入管を差し込むと、薬液容器の薬液が注入管に沿って樹木に供給され、供給された薬液は樹木の木質部の水管を介して樹木に循環及び吸収される。
【０００６】
しかしながら、このような薬液注入方法は、樹木の吸入力に依存するため、薬液の注入速度が遅いという欠点がある。なお、多量の樹液が生成される針葉樹などの樹種には薬液を注入しにくいという欠点もある。
【０００７】
そうした理由から、最近には、容器の内部の圧力を用いて樹木に薬剤を供給する技術が提案されている（例えば、下記の特許文献１及び２参照）。
【先行技術文献】
【特許文献】
【０００８】
【特許文献１】大韓民国特許公開公報第１０−２００６−０１０９３８５号
【特許文献２】大韓民国特許公開公報第１０−１０５２４９２号
【発明の概要】
【発明が解決しようとする課題】
【０００９】
しかし、従来技術では、薬液を円滑に且つ迅速に樹木に注入することは難しいという問題があった。
【００１０】
そこで、本発明は、上記問題に鑑みてなされたものであり、本発明の目的とするところは、薬液を円滑に且つ迅速に樹木に注入することが可能な、新規かつ改良された圧力式樹幹注入器を提供するところにある。
【課題を解決するための手段】
【００１１】
上記課題を解決するために、本発明のある観点によれば、中空状を呈しており、内部に薬液を収容する多数の蛇腹が形成された蛇腹管を付勢して前記内部に圧力を発生させるように構成された圧力部と、前記圧力部の上部面と前記圧力部の上部の外側を取り囲んで前記圧力部の前記上部を密閉するように構成された上部カバーと、前記圧力部の下部を密閉し、前記圧力部において発生した前記圧力を用いて前記薬液を樹木に注入するように構成された注入部とを備えることを特徴とする圧力式樹幹注入器が提供される。
【００１２】
前記注入部は、前記圧力部の前記下部の外側を取り囲む下部カバーと、前記下部カバーの下端に形成されて先端部に進むにつれて幅が狭くなる案内管と、前記案内管の下端に形成されて先端部に進むにつれて幅が狭くなる注入管と、前記注入管の先端部である開口部に熱融着されて前記開口部を閉塞している蓋体と、を備えてもよい。
【００１３】
前記注入管には、樹木の穿孔部に嵌め込むための、外周縁に沿って螺旋状に突出する嵌入ガイドが形成されてもよい。
【００１４】
前記注入部は、前記圧力部の前記下部の外側を取り囲む下部カバーと、前記下部カバーの下端に形成されて先端部に進むにつれて幅が狭くなる案内管と、前記案内管の下端に形成されて下側に突出する注入管と、前記注入管の先端部である開口部に嵌め込まれて前記開口部を閉塞している蓋体と、を備え、前記蓋体には、注入針が先端部に形成された薬液注入ホースが貫設され、前記上部カバーには、樹木に固定可能な固定環が形成されてもよい。
【００１５】
前記蛇腹管は、前記各蛇腹の上部面及び下部面が上部に向かって丸められた形状を呈し、前記上部面の高さは前記下部面の高さよりも高くなるように形成されてもよい。
【００１６】
前記上部カバー又は前記下部カバーには広告紙、ラベル紙などが貼着可能であってもよい。
【発明の効果】
【００１７】
以上説明したように本発明によれば、薬液を円滑に且つ迅速に樹木に注入することができる。
【図面の簡単な説明】
【００１８】
【図１】本発明による圧力式樹幹注入器の斜視図である。
【図２】本発明による圧力式樹幹注入器の蛇腹管の詳細図である。
【図３】本発明の他の実施形態による圧力式樹幹注入器の斜視図である。
【図４】本発明による圧力式樹幹注入器の使用状態図である。
【図５】本発明の他の実施形態による圧力式樹幹注入器の使用状態図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
本発明による圧力式樹幹注入器１は、図１に示すように、樹木の穿孔部Ｄに嵌め込まれて収容された薬液が内部において発生した圧力により樹木に円滑に且つ迅速に注入されるように樹幹注入器１に圧力を発生させる圧力部１０と、前記圧力部１０の上部に形成されて前記圧力部１０の上部を密閉する上部カバー２０と、前記圧力部１０の下部に形成されて前記圧力部１０の下部を密閉し、圧力により排出される薬液を樹木に注入する注入部３０と、を備える。
【００２１】
より具体的には、前記圧力部１０は、樹幹注入器１の中央部に形成され、中空状を呈して内部に薬液が収容され、外側面に多数の蛇腹が形成される蛇腹管１００からなり、蛇腹管１００を付勢して長手方向に収縮させると、圧力部１０の内部の空気圧が圧縮されながら圧力部１０の内部に圧力を発生させて圧力により薬液が速やかに排出されるように構成される。
【００２２】
このとき、前記圧力部１０の蛇腹管１００は、付勢して収縮させ易いが、逆に膨張しながら薬液が逆流し難くするために、図２に示すように、蛇腹管１００の各蛇腹１００−１、１００−２〜１００−ｎの上部面及び下部面が上部に向かって丸められた形状を呈し、上部面の高さＡが下部面の高さＢよりも高く形成される。
【００２３】
蛇腹管１００の各蛇腹１００−１、１００−２〜１００−ｎが上記構成を持っているため、蛇腹管１００を付勢して収縮させると、蛇腹管１００が折り畳まれやすいが、各蛇腹１００−１、１００−２〜１００−ｎが弧状に噛み合いながら折り畳まれて、ユーザーが力を入れて引っ張らなければ、拡開されないようになっているので、圧力部１０内に発生した圧力が逆流しながら蛇腹管１００が任意に膨張されて拡開されることが妨げられる。
【００２４】
前記上部カバー２０は、前記圧力部１０の上部面及び上部の外側面部を取り囲んで前記圧力部１０の上部を密閉し、且つ、前記蛇腹管１００を保護するとともに、前記圧力部１０を容易に付勢するように構成される。
【００２５】
前記注入部３０は、前記圧力部１０の下部に形成されて圧力部１０の下部を密閉し、全体的に上部から下部に進むにつれて幅が狭くなる形状を呈し、前記圧力部１０において発生した圧力により内部に収容された薬液が樹木に円滑に注入されるように構成される。
【００２６】
前記注入部３０の構成について、より具体的に説明すると、前記注入部３０には、前記圧力部１０の下部の外側を取り囲んで前記蛇腹管１００の下部側を保護する下部カバー３２が形成され、前記下部カバー３２の下端には、薬液の流れを円滑にするために先端部に進むにつれて幅が狭くなる形状の案内管３３が形成される。
【００２７】
また、前記案内管３３の下端には、長手方向に延び、先端部に進むにつれて幅が狭くなる注入管３４が形成され、前記注入管３４の先端部である開口部３４０には蓋体３５が形成されるが、前記蓋体３５は、開口部３４０に熱融着されて開口部３４０を閉塞しているため、使用に際しては開口部３４０をナイフや鋏などを用いて切り欠く。
【００２８】
前記注入管３４には外周縁に沿って螺旋状に突出する嵌入ガイド３４２が形成されており、注入管３４を樹木に嵌め込むときに、螺旋状に突出する嵌入ガイド３４２により予め穿孔された樹木の穿孔部Ｄが小さくても再び穿孔する必要がなく、且つ、嵌め込みに際して別途のツールを必要とせず、手で回して嵌め込めば済むように構成される。従来の樹幹注入器（特許文献１及び２）では、外部から衝撃が加えられると、樹幹注入器の本体が注入管から取り外され易く、しかも、樹幹注入器を樹木の孔に嵌め込むためにはハンマーなどのように別途の力を加えるためのツールが必要であった。それに対して、本実施形態に係る圧力式樹幹注入器１によれば、圧力式樹幹注入器１の使用に際して別途の組立てツールなしに樹木の穿孔部に手軽に嵌め込むことができることから、多段階の複雑な作業過程を単純化させることができ、さらに、螺旋状の嵌入ガイドを使用することから、ユーザーを除いては子供や一般人が樹木から手軽に圧力式樹幹注入器１を取り外すことができない。
【００２９】
さらに、前記上部カバー２０又は下部カバー３２には、電話番号、商号などが表示されたラベル紙、広告紙などが貼着可能である。
【００３０】
加えて、本発明の注入部３０には、図３に示すように、前記圧力部１０の下部の外側を取り囲んで前記蛇腹管１００の下部側を保護する下部カバー３２が形成され、前記下部カバー３２の下端には、薬液の流れを円滑にするように先端部に進むにつれて幅が狭くなる形状の案内管３３と、前記案内管３３の下端に形成されて下部に突出する注入管３４と、前記注入管３４の先端部である開口部３４０に嵌め込まれて前記開口部３４０を閉塞している蓋体３５´と、が形成される。
【００３１】
また、前記蓋体３５´の先端部には、樹木に差し込んで使用可能な注入針５２０が形成され、前記蓋体３５´の中央部には、薬液の注入量が調節可能な調節弁５３０が形成された薬液注入ホース５０が前記蓋体３５´に貫設されて、圧力部１０において発生した圧力により排出される樹幹注入器１の内部の薬液が前記薬液注入ホース５０を経て樹木に注入できるように構成されており、このとき、前記上部カバー２０には、樹木に固定可能な固定環４０が形成され、樹幹注入器１を樹木に吊り下げて使用するとき、排出される薬液が薬液注入ホース５０を介して樹木に円滑に注入されるように構成される。すなわち、注入針５５０を用いることから、圧力式樹幹注入器１の使用に際して別途の組立てツールなしに樹木の穿孔部に手軽に嵌め込むことができ、多段階の複雑な作業過程を単純化させることができる。
【００３２】
本発明の樹幹注入器１は、小容量及び大容量に分けられ、小容量の樹幹注入器は約２０〜３０ｍｌの容量を有するように製作され、且つ、大容量の樹幹注入器は約３００ｍｌ〜４００ｍｌの容量を有するように製作される。
【００３３】
本発明による樹幹注入器の使い方について説明すると、図４に示すように、小容量の樹幹注入器１は、予め穿孔しておいた樹木の穿孔部Ｄに蓋体３５を取り外した樹幹注入器１の注入管３４を嵌め込み、圧力部１０を付勢して蛇腹管１００を収縮させると、圧力部１０内の空気が圧縮されながら圧力部１０の内部に圧力が発生し、圧力部１０内に発生した圧力により樹幹注入器１内の薬液が迅速に樹木に直接的に注入される。また、図５に示すように、大容量の樹幹注入器１は、固定環４０を樹木に吊り下げて蓋体３５´に接続されている薬液注入ホース５０の注入針５２０を樹木に差し込んだ後に圧力部１０を付勢して圧力部１０の内部に圧力を発生させ、圧力部１０内に発生した圧力により排出される薬液が薬液注入ホース５０を介して樹木に円滑に注入される。
【００３４】
本発明による圧力式樹幹注入器１によれば、薬液に圧力を与えて、与えられた圧力により薬液が排出されることから、薬液を樹木に手軽に、円滑に且つ迅速に注入することができる。加えて、圧力式樹幹注入器１は、比較的に単純な構造を有するので使い勝手がよく、単純な構造のため、圧力式樹幹注入器１の生産コストを節減することができる。
【００３５】
本発明による大容量の樹幹注入器１は、内部に収容されている薬液を完全に使い尽くし、蓋体３５´又は蓋体３５´を取り外した後に開口部３４０を介して薬液、栄養剤などを再び収容して容器を再使用することができるというメリットがある。
【００３６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３７】
１    樹幹注入器
１０    圧力部
２０    上部カバー
３０    注入部
３２    下部カバー
３３    案内管
３４    注入管
３５、３５´    蓋体
４０    固定環
５０    薬液注入ホース
１００    蛇腹管
３４０    開口部
３４２    嵌入ガイド
５２０    注入針
５３０    調節弁
【図１】
2015149990.tif 000003
【図２】
2015149990.tif 000004
【図３】
2015149990.tif 000005
【図４】
2015149990.tif 000006
【図５】
2015149990.tif 000007